(57)【要約】【課題】飛び越し選局の際に飛び越されたチャンネルを容易に把握させ得る選局装置を提供する。【解決手段】受信部に受信させる放送信号のチャンネルを選局する選局部と、チャンネル切り替え操作に従って順次選局を選局部に実行させる制御部とを備え、制御部は、選局部に順次選局を実行させる際に、チャンネル切り替え操作の直前に選局されていたチャンネルの次の順位以降のチャンネル（ＣＨ２２１〜ＣＨ２２３）が選局情報に基づいて特定される選局除外チャンネルに該当するときには次の順位以降のチャンネル（ＣＨ２２１〜ＣＨ２２３）を飛び越して選局除外チャンネルに該当しない更に次の順位のチャンネル（ＣＨ２２４）を選局する飛び越し選局を選局部に実行させると共に、飛び越したチャンネル（ＣＨ２２１〜ＣＨ２２３）のチャンネル番号Ｃｎ２を表示部１６に表示させる。【選択図】図６
2007281568.tif 000002
【特許請求の範囲】
【請求項１】
放送信号を受信する受信部と、前記受信部に受信させる前記放送信号のチャンネルを選
局する選局部と、チャンネル切り替え操作に従って前記選局部を制御して前記チャンネル
をチャンネル番号順で選局する順次選局を実行させる制御部とを備えた選局装置であって
、
前記順次選局の対象から除外するチャンネルとして設定された選局除外チャンネルを特
定可能な選局情報を記憶する記憶部を備え、
前記制御部は、前記選局部に前記順次選局を実行させる際に、前記チャンネル切り替え
操作の直前に選局されていたチャンネルの次の順位以降のチャンネルが前記選局情報に基
づいて特定される前記選局除外チャンネルに該当するときには当該次の順位以降のチャン
ネルを飛び越して当該選局除外チャンネルに該当しない更に次の順位のチャンネルを選局
する飛び越し選局を前記選局部に実行させると共に、当該飛び越したチャンネルのチャン
ネル番号を表示部に表示させる選局装置。
【請求項２】
前記制御部は、前記表示部に表示させている前記チャンネル番号が選択されたときに、
当該選択されたチャンネルを前記選局部に選局させる請求項１記載の選局装置。
【請求項３】
前記制御部は、前記表示部に表示させている前記チャンネル番号が選択されかつ所定の
設定操作が行われたときに、当該選択されたチャンネルを前記順次選局の対象とする選局
対象チャンネルに設定変更する請求項１記載の選局装置。
【請求項４】
前記制御部は、前記表示部に表示させている前記選局対象チャンネルの前記チャンネル
番号が選択されかつ所定の再設定操作が行われたときに、当該選択されたチャンネルを前
記選局除外チャンネルに設定する請求項３記載の選局装置。
【請求項５】
前記制御部は、前記表示部に表示させている前記選局対象チャンネルの前記チャンネル
番号が選択されかつ所定の選局操作が行われたときに、当該選択されたチャンネルを前記
選局部に選局させる請求項３記載の選局装置。
【請求項６】
放送信号を受信する受信部、前記受信部に受信させる前記放送信号のチャンネルを選局
する選局部、およびチャンネル切り替え操作に従って前記選局部を制御して前記チャンネ
ルをチャンネル番号順で選局する順次選局を実行させる制御部を有する選局装置と、前記
放送信号に基づく映像を表示する表示部とを備えたテレビであって、
前記順次選局の対象から除外するチャンネルとして設定された選局除外チャンネルを特
定可能な選局情報を記憶する記憶部を備え、
前記制御部は、前記選局部に前記順次選局を実行させる際に、前記チャンネル切り替え
操作の直前に選局されていたチャンネルの次の順位以降のチャンネルが前記選局情報に基
づいて特定される前記選局除外チャンネルに該当するときには当該次の順位以降のチャン
ネルを飛び越して当該選局除外チャンネルに該当しない更に次の順位のチャンネルを選局
する飛び越し選局を前記選局部に実行させると共に、当該飛び越したチャンネルのチャン
ネル番号を前記表示部に表示させるテレビ。
【請求項７】
受信部に受信させる放送信号のチャンネルを選局する選局部をチャンネル切り替え操作
に従って制御して、チャンネル番号順で選局する順次選局を実行させる際の選局制御方法
であって、
前記選局部に前記順次選局を実行させる際に、前記チャンネル切り替え操作の直前に選
局されていたチャンネルの次の順位以降のチャンネルが前記順次選局の対象から除外する
チャンネルとして設定された選局除外チャンネルに該当するときには、当該次の順位以降
のチャンネルを飛び越して前記選局除外チャンネルに該当しない更に次の順位のチャンネ
ルを選局する飛び越し選局を前記選局部に実行させると共に、当該飛び越したチャンネル
のチャンネル番号を表示部に表示させる選局制御方法。
【発明の詳細な説明】
【技術分野】
【０００１】
本発明は、チャンネル番号順でチャンネルを選局する順次選局を実行可能な選局装置お
よびテレビ、並びにその順次選局を実行する際の選局制御方法に関するものである。
【背景技術】
【０００２】
今日、地上波放送に加えてＢＳ放送やＣＳ放送などの様々な放送形態でテレビ放送が行
われている状況下において、テレビ放送のチャンネル数は、視聴者がその選択に苦慮する
ほど増加している。また、これらのチャンネルの中には、視聴契約が必要な有料チャンネ
ルが数多く存在し、未契約の状態では視聴不可能であるにも拘わらず、チャンネルをアッ
プダウン選局（順次選局）する際には、視聴不可能なこれらのチャンネルまでもが選局さ
れる。このため、所望のチャンネルを選局するのに長時間を要するという不都合が生じて
いる。このような不都合を解消可能な技術として、特開平１０−２１５４４１号公報に開
示されたデジタル放送受信機が知られている。このデジタル放送受信機では、視聴可能チ
ャンネルモードが設定された状態においてチャンネルアップキーまたはチャンネルダウン
キーが操作されたときには、チューナが視聴可能なチャンネルのみを対象としてチャンネ
ルアップダウンを実行する。このため、視聴不可能なチャンネルの選局が行われない分、
所望のチャンネルを比較的短時間で選局することが可能となっている。
【特許文献１】特開平１０−２１５４４１号公報（第４−９頁、第２−１１図）
【発明の開示】
【発明が解決しようとする課題】
【０００３】
ところが、従来のデジタル放送受信機には、以下の問題点がある。すなわち、このデジ
タル放送受信機では、視聴可能なチャンネルのみを対象としてチャンネルアップダウンを
実行することで、チャンネル選局の時間短縮を図っている。一方、例えば、ＣＳデジタル
放送における有料チャンネルを視聴契約する場合には、数多くの有料チャネルを安価で見
ることのできるパック契約をすることが多く、このパック契約の中には実際にはほとんど
視聴することのないチャンネルが数多く含まれている。したがって、これらのほとんど視
聴することのないチャンネルを含む視聴可能な全てのチャンネルをチャンネルアップダウ
ンの対象としている従来のデジタル放送受信機には、所望のチャンネルの短時間での選局
が依然として困難であるという問題点が存在する。
【０００４】
この場合、視聴する頻度の低いチャンネルを選局除外チャンネルとして設定画面上で予
め設定して、チャンネルアップダウンの際に選局除外チャンネルをスキップさせる方法も
考えられる。しかしながら、この方法では、どのチャンネルがスキップされているのかを
把握させるのが困難なため、例えば、数多くの選局除外チャンネルを設定した場合には、
そのスキップされたチャンネルを視聴したくなったとしても、そのチャンネルを選局除外
チャンネルとして設定したこと自体を把握するのが困難となるという不都合が生じる。ま
た、選局除外チャンネルとして設定したチャンネルをチャンネルアップダウンの対象に設
定変更する際には、設定画面に切り替えて設定し直す必要があり、操作が煩雑となるとい
う不都合も生じる。
【０００５】
本発明は、かかる問題点に鑑みてなされたものであり、飛び越し選局の際に飛び越され
たチャンネルを容易に把握させ得る選局装置、テレビおよび選局制御方法を提供すること
を主目的とする。また、順次選局から除外したチャンネルを容易に順次選局の対象として
設定し得る選局装置、テレビおよび選局制御方法を提供することを他の目的とする。
【課題を解決するための手段】
【０００６】
上記目的を達成すべく本発明に係る選局装置は、放送信号を受信する受信部と、前記受
信部に受信させる前記放送信号のチャンネルを選局する選局部と、チャンネル切り替え操
作に従って前記選局部を制御して前記チャンネルをチャンネル番号順で選局する順次選局
を実行させる制御部とを備えた選局装置であって、前記順次選局の対象から除外するチャ
ンネルとして設定された選局除外チャンネルを特定可能な選局情報を記憶する記憶部を備
え、前記制御部は、前記選局部に前記順次選局を実行させる際に、前記チャンネル切り替
え操作の直前に選局されていたチャンネルの次の順位以降のチャンネルが前記選局情報に
基づいて特定される前記選局除外チャンネルに該当するときには当該次の順位以降のチャ
ンネルを飛び越して当該選局除外チャンネルに該当しない更に次の順位のチャンネルを選
局する飛び越し選局を前記選局部に実行させると共に、当該飛び越したチャンネルのチャ
ンネル番号を表示部に表示させる。
【０００７】
また、本発明に係るテレビは、放送信号を受信する受信部、前記受信部に受信させる前
記放送信号のチャンネルを選局する選局部、およびチャンネル切り替え操作に従って前記
選局部を制御して前記チャンネルをチャンネル番号順で選局する順次選局を実行させる制
御部を有する選局装置と、前記放送信号に基づく映像を表示する表示部とを備えたテレビ
であって、前記順次選局の対象から除外するチャンネルとして設定された選局除外チャン
ネルを特定可能な選局情報を記憶する記憶部を備え、前記制御部は、前記選局部に前記順
次選局を実行させる際に、前記チャンネル切り替え操作の直前に選局されていたチャンネ
ルの次の順位以降のチャンネルが前記選局情報に基づいて特定される前記選局除外チャン
ネルに該当するときには当該次の順位以降のチャンネルを飛び越して当該選局除外チャン
ネルに該当しない更に次の順位のチャンネルを選局する飛び越し選局を前記選局部に実行
させると共に、当該飛び越したチャンネルのチャンネル番号を前記表示部に表示させる。
【０００８】
また、本発明に係る選局制御方法は、受信部に受信させる放送信号のチャンネルを選局
する選局部をチャンネル切り替え操作に従って制御して、チャンネル番号順で選局する順
次選局を実行させる際の選局制御方法であって、前記選局部に前記順次選局を実行させる
際に、前記チャンネル切り替え操作の直前に選局されていたチャンネルの次の順位以降の
チャンネルが前記順次選局の対象から除外するチャンネルとして設定された選局除外チャ
ンネルに該当するときには、当該次の順位以降のチャンネルを飛び越して前記選局除外チ
ャンネルに該当しない更に次の順位のチャンネルを選局する飛び越し選局を前記選局部に
実行させると共に、当該飛び越したチャンネルのチャンネル番号を表示部に表示させる。
【０００９】
この選局装置、テレビおよび選局制御方法によれば、選局部に対して順次選局の実行時
に飛び越し選局を実行させると共に、飛び越したチャンネルのチャンネル番号を表示部に
表示させることにより、飛び越し選局の際に飛び越したチャンネルをユーザーに対して確
実に報知することができる。このため、ユーザーは、例えば、どのチャンネルを選局除外
チャンネルとして設定したのかを失念したときであっても、設定したそのチャンネルを確
実に把握することができる。
【００１０】
また、本発明に係る選局装置は、上記の選局装置において、前記制御部は、前記表示部
に表示させている前記チャンネル番号が選択されたときに、当該選択されたチャンネルを
前記選局部に選局させる。
【００１１】
この選局装置によれば、表示部に表示されているチャンネル番号が選択されたときに、
制御部が、選択されたチャンネルを選局部に選局させることにより、放送信号に基づく映
像（テレビ映像）が表示されている画面上でチャンネル番号を選択するという簡易な操作
を行うだけで、選択したチャンネル番号のチャンネルに切り替えることができる。したが
って、例えば数字キーを用いて選局除外チャンネルのチャンネル番号を入力する方法と比
較して、入力誤りを生じさせることなく、しかも短時間でチャンネルを切り替えることが
できる。
【００１２】
また、本発明に係る選局装置は、上記の選局装置において、前記制御部は、前記表示部
に表示させている前記チャンネル番号が選択されかつ所定の設定操作が行われたときに、
当該選択されたチャンネルを前記順次選局の対象とする選局対象チャンネルに設定変更す
る。
【００１３】
この選局装置によれば、表示部に表示させているチャンネル番号が選択されかつ所定の
設定操作が行われたときに、制御部が、選択されたチャンネルを選局対象チャンネルに設
定変更することにより、放送信号に基づく映像が表示されている画面上でチャンネル番号
を選択して所定の設定操作を行うだけで、選択したチャンネルを選局対象チャンネルに設
定変更することができる。このため、設定画面に切り替えて設定し直す方法と比較して、
短時間でしかも容易に設定変更を行うことができる。
【００１４】
また、本発明に係る選局装置は、上記の選局装置において、前記制御部は、前記表示部
に表示させている前記選局対象チャンネルの前記チャンネル番号が選択されかつ所定の再
設定操作が行われたときに、当該選択されたチャンネルを前記選局除外チャンネルに設定
する。
【００１５】
この選局装置によれば、表示部に表示されている選局対象チャンネルのチャンネル番号
が選択されかつ所定の再設定操作が行われたときに、制御部が、選択されたチャンネルを
選局除外チャンネルに設定することにより、放送信号に基づく映像が表示されている画面
上でチャンネル番号を選択して所定の再設定操作を行うだけで、選局対象チャンネルに設
定変更したチャンネルを選局除外チャンネルに再度設定することができる。したがって、
例えば、選局除外チャンネルを誤って選局対象チャンネルに設定変更してしまったとして
も、元の設定に容易に戻すことができる。
【００１６】
また、本発明に係る選局装置は、上記の選局装置において、前記制御部は、前記表示部
に表示させている前記選局対象チャンネルの前記チャンネル番号が選択されかつ所定の選
局操作が行われたときに、当該選択されたチャンネルを前記選局部に選局させる。
【００１７】
この選局装置によれば、表示部に表示させている選局対象チャンネルのチャンネル番号
が選択されかつ所定の選局操作が行われたときに、制御部が、選択されたチャンネルを選
局部に選局させることにより、例えば、画面上に表示された複数の選局除外チャンネルを
選局対象チャンネルに設定変更する際に、チャンネル番号を選択しただけではチャンネル
が選局されない（切り替えられない）ため、飛び越し選局によって選局されたチャンネル
の映像を見ながら各選局除外チャンネルを選局対象チャンネルに設定変更することができ
る。また、この選局装置によれば、選局対象チャンネルに設定変更したチャンネルだけを
選局の対象（チャンネル切り替えの対象）とすることができるため、上記の操作によって
選局したチャンネルを、次回の順次選局時においても飛び越させずに確実に選局させるこ
とができる。
【発明を実施するための最良の形態】
【００１８】
以下、本発明に係る選局装置、テレビおよび選局制御方法の最良の形態について、添付
図面を参照して説明する。図１に示すプロジェクションテレビ（以下、単に「テレビ」と
もいう）１は、本発明に係るテレビの一例であって、同図に示すように、本体部２および
リモコン３を備えて構成されている。本体部２は、選局処理部１１、チューナ１２、記憶
部１３、映像音声処理部１４、映像出力部１５、表示部１６、音声出力部１７、スピーカ
１８、受光部１９、キー入力処理部２０、タイマ２１および制御部２２を備えている。こ
の場合、選局処理部１１、チューナ１２、記憶部１３、映像音声処理部１４、受光部１９
、キー入力処理部２０、タイマ２１および制御部２２によって本発明に係る選局装置が構
成される。
【００１９】
選局処理部１１は、本発明における選局部に相当し、制御部２２の制御に従い、チュー
ナ１２に受信させる放送信号Ｓｂのチャンネルを選局する。チューナ１２は、本発明にお
ける受信部に相当し、一例として、ＢＳデジタル放送、１１０度ＣＳデジタル放送、地上
デジタル放送および地上アナログ放送を受信可能に構成されて、選局処理部１１によって
選局されたチャンネルの放送信号Ｓｂを図外のアンテナで受信した放送波から抽出して映
像音声処理部１４に出力する。
【００２０】
記憶部１３は、リモコン３の各ダイレクトチャンネル選択キー３２（図２参照）と各ダ
イレクトチャンネル選択キー３２に割り当てられるチャンネル（チャンネル番号）とを対
応付けた対応付けデータを記憶する。また、記憶部１３は、制御部２２によって実行され
るアップダウン選局処理５０（図３参照）において用いられる選局データＤｓ（本発明に
おける選局情報）を記憶する。この場合、選局データＤｓは、チャンネルをチャンネル番
号の昇順で選局する順次選局（以下、この選局方法を「アップ選局」ともいう）、および
チャンネルをチャンネル番号の降順で選局する順次選局（以下、この選局方法を「ダウン
選局」ともいい、「アップ選局」と区別しないときには「アップダウン選局」ともいう）
の対象とするチャンネル（選局対象チャンネル）と、アップダウン選局の対象から除外す
るチャンネル（選局除外チャンネル）とを特定可能に構成されている。具体的には、図５
に概念的に示すように、選局除外チャンネル（同図に示す２２１〜２２３チャンネル）に
は、アップダウン選局時にそのチャンネルを飛び越させる（スキップさせる）旨を示すフ
ラグ（同図における「Ｙｅｓ」のフラグ）が付されている。また、選局対象チャンネルに
は、アップダウン選局時にそのチャンネルを選局させる（スキップさせない）旨を示すフ
ラグ（同図における「Ｎｏ」のフラグ）が付されている。
【００２１】
映像音声処理部１４は、制御部２２の制御に従い、チューナ１２から出力される放送信
号Ｓｂに基づく映像信号Ｓｐ１および音声信号Ｓｓ１を映像出力部１５および音声出力部
１７にそれぞれ出力する。映像出力部１５は、制御部２２の制御に従い、映像音声処理部
１４から出力された映像信号Ｓｐ１や図外のメモリに記憶されている映像データに基づい
て映像表示用の映像信号Ｓｐ２を生成して表示部１６に出力する。表示部１６は、一例と
して、光学エンジンおよびスクリーンパネル（いずれも図示せず）を備えて構成され、映
像出力部１５からの映像信号Ｓｐ２に基づいて光変調した投射光をスクリーンパネルに背
面側から投射することにより、各種映像を表示する。
【００２２】
音声出力部１７は、映像音声処理部１４から出力された音声信号Ｓｓ１を増幅して音声
信号Ｓｓ２としてスピーカ１８に出力する。スピーカ１８は、音声出力部１７から出力さ
れた音声信号Ｓｓ２に基づく音声を出力する。なお、本明細書における「音声」には、人
の声のみならず、鳥の鳴き声、風の音および音楽等の各種の「音」が含まれる。受光部１
９は、リモコン３から出力される赤外線信号Ｓｉを受光して操作信号Ｓｏを出力する。キ
ー入力処理部２０は、受光部１９から出力された操作信号Ｓｏに対応する制御信号Ｓｃを
制御部２２に出力する。タイマ２１は、制御部２２の制御に従って作動し、制御部２２に
よって設定される表示時間ｔを経過した時点でタイマ信号Ｓｔを制御部２２に出力する。
制御部２２は、本発明に係る選局制御方法に従ってテレビ１を構成する各部を制御する。
また、制御部２２は、リモコン３のチャンネルアップキー３３ａまたはチャンネルダウン
キー３３ｂに対応する制御信号Ｓｃがキー入力処理部２０から出力されたときには、図３
に示すアップダウン選局処理５０を実行することにより、選局処理部１１に対して、アッ
プダウン選局を実行させる。この場合、制御部２２は、アップダウン選局を実行させる際
に、上記した選局除外チャンネルを飛び越して次の順位以降のチャンネルを選局する飛び
越し選局（以下、この選局方法を「スキップ選局」ともいう）を選局処理部１１に対して
実行させると共に、リモコン３における所定の操作キーに対応する制御信号Ｓｃに従って
図４に示すスキップ設定・解除処理７０を実行する。
【００２３】
リモコン３は、図２に示すように、本体部２とは別体に形成されている。また、リモコ
ン３は、電源キー３１、１２個のダイレクトチャンネル選択キー３２、チャンネルアップ
キー３３ａ、チャンネルダウンキー３３ｂ（以下、両キー３３ａ、３３ｂを区別しないと
きには、「チャンネルアップダウンキー３３」ともいう）、カーソルキー３４ａ〜３４ｄ
（以下、区別しないときには「カーソルキー３４」ともいう）、スキップ設定キー３５、
エンターキー３６および音量調整キー３７などの各種操作キーが配列されて構成され、こ
れらの操作キーが操作されたときに、各操作キーに対応する赤外線信号Ｓｉを出力（送信
）する。
【００２４】
次に、テレビ１の全体的な動作について、図面を参照して説明する。なお、初期状態に
おいて、図５に概念的に示す選局データＤｓが記憶部１３に記憶されているものとする。
このテレビ１では、リモコン３の電源キー３１が操作されたときに、リモコン３が電源キ
ー３１に対応する赤外線信号Ｓｉを出力し、受光部１９が、赤外線信号Ｓｉを受光して操
作信号Ｓｏを出力する。次いで、キー入力処理部２０がその操作信号Ｓｏ、つまり電源キ
ー３１に対応する制御信号Ｓｃを制御部２２に出力する。これに応じて、制御部２２が、
図外の電源部を制御してテレビ１の各部に電源を供給させる。続いて、選局処理部１１が
制御部２２の制御に従って直前の電源切断時に選局していたチャンネル（例えば２２０チ
ャンネル）を選局し、チューナ１２が選局処理部１１によって選局された２２０チャンネ
ルの放送信号Ｓｂを映像音声処理部１４に出力する。
【００２５】
次いで、映像音声処理部１４が、チューナ１２から出力された放送信号Ｓｂに基づく映
像信号Ｓｐ１および音声信号Ｓｓ１を映像出力部１５および音声出力部１７にそれぞれ出
力する。続いて、映像出力部１５が、映像信号Ｓｐ１および図外のメモリに記憶されてい
る映像データに基づいて映像信号Ｓｐ２を生成して表示部１６に出力する。次いで、表示
部１６の光学エンジンが映像信号Ｓｐ２に基づいて光変調した投射光をスクリーンパネル
に投射する。また、音声出力部１７が、映像音声処理部１４から出力された音声信号Ｓｓ
１を増幅して音声信号Ｓｓ２をスピーカ１８に出力する。これにより、図２に示すように
、２２０チャンネルのテレビ映像Ｐｔに２２０チャンネルのチャンネル番号Ｃｎを重ね合
わせた映像Ｐ１が表示部１６に表示されると共に、２２０チャンネルの音声がスピーカ１
８から出力される。
【００２６】
次に、例えば、アップ選局によってチャンネル切り替えを行う際には、リモコン３のチ
ャンネルアップキー３３ａを操作する（本発明におけるチャンネル切り替え操作）。この
際に、リモコン３がチャンネルアップキー３３ａに対応する赤外線信号Ｓｉを出力し、キ
ー入力処理部２０がチャンネルアップキー３３ａに対応する制御信号Ｓｃを制御部２２に
出力する。これに応じて、制御部２２は、図３に示すアップダウン選局処理５０を実行す
る。このアップダウン選局処理５０では、制御部２２は、記憶部１３に記憶されている選
局データＤｓに基づき、現在選局されているチャンネル（この例では２２０チャンネル）
の次に番号の大きいチャンネル（本発明における次の順位以降のチャンネル：この例では
２２１チャンネル）を取得（特定）する（ステップ５１）。
【００２７】
次いで、制御部２２は、選局データＤｓに基づき、取得した２２１チャンネルにスキッ
プさせる旨を示すフラグ（Ｙｅｓのフラグ）が付されているか否かを判別する（ステップ
５２）。この場合、図５に示すように、２２１チャンネルにＹｅｓのフラグが付されてい
るため、制御部２２は、ステップ５１の処理を再び実行して次の順位のチャンネル（この
場合、２２２チャンネル）を取得し、続いて、ステップ５２の処理を実行する。次いで、
制御部２２は、Ｙｅｓのフラグが付されていない、つまりスキップさせない旨を示すＮｏ
のフラグが付されているチャンネルを取得するまでステップ５１，５２の処理を繰り返し
て実行する。
【００２８】
この場合、制御部２２は、図５に示す２２４チャンネルを取得したときには、上記した
ステップ５２において、２２４チャンネルにＹｅｓのフラグが付されていない（Ｎｏのフ
ラグが付されている）と判別して、取得した２２４チャンネルを選局処理部１１に選局さ
せる（ステップ５３）。つまり、制御部２２は、ステップ５１，５２の処理を実行するこ
とにより、チャンネルアップキー３３ａの操作直前に選局されていたチャンネルの次の順
位以降のチャンネルが選局除外チャンネルに該当するときにはスキップ選局を選局処理部
１１に実行させる。次いで、チューナ１２が、２２４チャンネルの放送信号Ｓｂを抽出し
て映像音声処理部１４に出力し、映像音声処理部１４が、映像信号Ｓｐ１および音声信号
Ｓｓ１を映像出力部１５および音声出力部１７にそれぞれ出力する。
【００２９】
続いて、映像出力部１５が、制御部２２の制御に従い、映像信号Ｓｐ１および図外のメ
モリに記憶されている映像データに基づいて映像信号Ｓｐ２を生成する。この場合、制御
部２２は、２２４チャンネルのテレビ映像Ｐｔに、２２４チャンネルのチャンネル番号Ｃ
ｎ（以下、選局されたチャンネルのチャンネル番号Ｃｎを「チャンネル番号Ｃｎ１」とも
いう）と、スキップ選局の際にスキップした各チャンネル（この場合、２２１〜２２３チ
ャンネル）のチャンネル番号Ｃｎ（以下、スキップしたチャンネルのチャンネル番号Ｃｎ
「チャンネル番号Ｃｎ２」ともいう）と、スキップした各チャンネルにＹｅｓのフラグが
付されている（選局除外チャンネルに設定されている）旨を示すアイコンＩｃとを重ね合
わせて表示させる映像信号Ｓｐ２を生成するように映像出力部１５を制御する。これによ
り、図６に示すように、チャンネル番号Ｃｎ１，Ｃｎ２およびアイコンＩｃ（同図に示す
黒い丸印）を２２４チャンネルのテレビ映像Ｐｔに重ね合わせた映像Ｐ２が表示部１６に
表示されると共に（ステップ５４）、２２４チャンネルの音声がスピーカ１８から出力さ
れる。この場合、チャンネル番号Ｃｎ２が表示されることで、スキップ選局の際にスキッ
プしたチャンネルをユーザーに対して確実に報知することが可能となる。また、アイコン
Ｉｃが表示されることで、アイコンＩｃに隣接するチャンネル番号Ｃｎ２のチャンネルが
選局除外チャンネルに設定されている旨をユーザーに対して確実に報知することが可能と
なる。
【００３０】
次いで、制御部２２は、チャンネル番号Ｃｎ２およびアイコンＩｃの表示時間ｔを例え
ば２秒に設定して、タイマ２１をスタートさせた後に（ステップ５５）、制御信号Ｓｃが
出力されたか否かを判別する（ステップ５６）。この際に、制御信号Ｓｃが出力されてい
ないときには、制御部２２は、タイマ２１からタイマ信号Ｓｔが出力されたか否か、つま
り表示時間ｔが経過したか否かを判別し（ステップ５７）、表示時間ｔが経過していない
ときには、ステップ５６，５７の判別処理を繰り返して実行する。また、制御部２２は、
制御信号Ｓｃが出力されることなく表示時間ｔを経過したときには、タイマ２１を停止さ
せる（ステップ５８）。続いて、制御部２２は、映像出力部１５を制御することにより、
チャンネル番号Ｃｎ２およびアイコンＩｃの表示を停止させて（ステップ５９）、つまり
図１０に示すようにテレビ映像Ｐｔにチャンネル番号Ｃｎ１を重ね合わせた映像Ｐ６の表
示に切り替えて、アップダウン選局処理５０を終了する。
【００３１】
一方、ステップ５６において、制御信号Ｓｃが出力されたと判別したときには、制御部
２２は、出力された制御信号Ｓｃがスキップ設定キー３５に対応する制御信号Ｓｃである
か否かを判別する（ステップ６０）。この場合、スキップ設定キー３５以外の操作キー（
例えば、音量調整キー３７）に対応する制御信号Ｓｃが出力されたときには、制御部２２
は、その制御信号Ｓｃ（操作キー）に対応する処理（例えば、音量調整処理）を実行した
後に（ステップ６１）、上記したステップ５８，５９の処理を実行して、このアップダウ
ン選局処理５０を終了する。
【００３２】
ここで、このテレビ１では、アップダウン選局時にスキップされた選局除外チャンネル
へのチャンネル切り替えを容易な操作で行うことが可能となっている。また、このテレビ
１では、選局除外チャンネルとして設定したチャンネルを容易な操作で選局対象チャンネ
ルに設定変更（選局除外チャンネルの解除）することが可能となっている。具体的には、
上記したチャンネル番号Ｃｎ２が表示されている状態、つまり制御部２２がアップダウン
選局処理５０におけるステップ５６，５７の処理を実行している状態において、リモコン
３のスキップ設定キー３５を操作する。この際には、制御部２２は、アップダウン選局処
理５０のステップ５６において、制御信号Ｓｃが出力されたと判別すると共に、ステップ
６０において、その制御信号Ｓｃがスキップ設定キー３５に対応する制御信号Ｓｃである
と判別して、図４に示すスキップ設定・解除処理７０を実行する（ステップ６２）。
【００３３】
このスキップ設定・解除処理７０では、制御部２２は、映像出力部１５を制御すること
により、図７に示す映像Ｐ３のように、チャンネル番号Ｃｎ１の右側にカーソルＣｕを表
示させる（ステップ７１）。次いで、制御部２２は、制御信号Ｓｃが出力されたか否かを
判別する（ステップ７２）。この場合、制御信号Ｓｃが出力されていないときには、制御
部２２は、ステップ７２の判別処理を繰り返して実行する。一方、例えば、スキップされ
た各選局除外チャンネル（２２１〜２２３チャンネル）のうちの２２３チャンネルにチャ
ンネル切り替えするときには、下向きのカーソルキー３４ｂを１回だけ操作する。この際
に、制御部２２は、上記したステップ７２において、制御信号Ｓｃが出力されたと判別し
て、続いて、その制御信号Ｓｃがカーソルキー３４ａまたはカーソルキー３４ｂに対応す
る制御信号Ｓｃであるか否かを判別する（ステップ７３）。
【００３４】
この場合、カーソルキー３４ｂの操作によってカーソルキー３４ｂに対応する制御信号
Ｓｃが出力されるため、制御部２２は、映像出力部１５を制御することにより、カーソル
Ｃｕをチャンネル番号Ｃｎ２の右側において１段分だけ移動させる。これにより、「２２
３」のチャンネル番号Ｃｎ２が選択される。次いで、制御部２２は、選局処理部１１を制
御することにより、選択された２２３チャンネルを選局させる。これにより、図８に示す
映像Ｐ４ように、２２４チャンネルのテレビ映像Ｐｔに代えて、２２３チャンネルのテレ
ビ映像Ｐｔが表示部１６に表示される（ステップ７４）。続いて、制御部２２は、上記し
たステップ７２の処理（制御信号Ｓｃが出力されたか否かの判別処理）を実行する。
【００３５】
一方、例えば、選択した２２３チャンネルを選局除外チャンネルから選局対象チャンネ
ルに設定変更するときには、図８に示す映像Ｐ４のように、カーソルＣｕが「２２３」の
チャンネル番号Ｃｎ２の右側に表示されている（そのチャンネル番号Ｃｎ２が選択されて
いる）状態において、右向きのカーソルキー３４ｄを１回だけ操作する（本発明における
設定操作）。この際に、制御部２２は、上記したステップ７２において、制御信号Ｓｃが
出力されたと判別して、続いて、上記したステップ７３の処理を実行する。この場合、そ
の制御信号Ｓｃがカーソルキー３４ａ，３４ｂに対応する制御信号Ｓｃではないため、制
御部２２は、その制御信号Ｓｃがカーソルキー３４ｃまたはカーソルキー３４ｄに対応す
る制御信号Ｓｃであるか否かを判別する（ステップ７５）。
【００３６】
この場合、カーソルキー３４ｄの操作によってカーソルキー３４ｄに対応する制御信号
Ｓｃが出力されるため、制御部２２は、記憶部１３に記憶されている選局データＤｓを書
き換えることにより（ステップ７６）、２２３チャンネルを選局除外チャンネルから選局
対象チャンネルに設定変更する。具体的には、制御部２２は、２２３チャンネルに付され
ている「Ｙｅｓ」のフラグ（図５参照）を「Ｎｏ」のフラグに付け替える。次いで、制御
部２２は、映像出力部１５を制御することにより、図９に示す映像Ｐ５のように、「２２
３」のチャンネル番号Ｃｎ２の左側のアイコンＩｃの表示を停止させる。この場合、アイ
コンＩｃの表示が停止されることで、２２３チャンネルが選局除外チャンネルから選局対
象チャンネルに設定変更されたことをユーザーに対して報知することが可能となる。続い
て、制御部２２は、上記したステップ７２の処理（制御信号Ｓｃが出力されたか否かの判
別処理）を実行する。
【００３７】
ここで、例えば、選局対象チャンネルに設定変更した２２３チャンネルを選局除外チャ
ンネルに再度設定するときには、カーソルＣｕが「２２３」のチャンネル番号Ｃｎ２の右
側に表示されている（そのチャンネル番号Ｃｎ２が選択されている）状態において、右向
きのカーソルキー３４ｄを再び１回だけ操作する（本発明における再設定操作）。この際
に、制御部２２は、上記したようにステップ７３，７５，７６の処理を実行することによ
り、２２３チャンネルを選局対象チャンネルから選局除外チャンネルに再度設定する。次
いで、制御部２２は、映像出力部１５を制御することにより、図８に示す映像Ｐ４のよう
に、「２２３」のチャンネル番号Ｃｎ２の左側にアイコンＩｃを表示させる。続いて、制
御部２２は、上記したステップ７２の処理（制御信号Ｓｃが出力されたか否かの判別処理
）を実行する。
【００３８】
一方、選局除外チャンネルへのチャンネル切り替え、および選局除外チャンネルから選
局対象チャンネルへの設定変更を終了する際には、リモコン３のスキップ設定キー３５を
再び操作する。この際に、制御部２２は、上記したステップ７２，７３，７５を実行した
後に、ステップ７７を実行して、キー入力処理部２０から出力された制御信号Ｓｃがスキ
ップ設定キー３５に対応する制御信号Ｓｃであると判別して、スキップ設定・解除処理７
０を終了する。次いで、制御部２２は、上記したアップダウン選局処理５０のステップ５
８，５９の処理を実行した後に、アップダウン選局処理５０を終了する。
【００３９】
このように、このテレビ１によれば、制御部２２が、選局処理部１１に対してアップダ
ウン選局の実行時にスキップ選局を実行させると共に、スキップしたチャンネルのチャン
ネル番号を表示部１６に表示させることにより、スキップ選局の際にスキップしたチャン
ネルをユーザーに対して確実に報知することができる。このため、ユーザーは、例えば、
どのチャンネルを選局除外チャンネルとして設定したのかを失念したときであっても、設
定したそのチャンネルを確実に把握することができる。
【００４０】
また、このテレビ１によれば、表示部１６に表示されているチャンネル番号Ｃｎ２が選
択されたときに、制御部２２が、選択されたチャンネル番号Ｃｎ２の選局除外チャンネル
を選局処理部１１に選局させることにより、テレビ映像Ｐｔが表示されている画面上でチ
ャンネル番号Ｃｎ２を選択するという簡易な操作を行うだけで、選択したチャンネル番号
Ｃｎ２のチャンネルに切り替えることができる。したがって、数字キーを用いて選局除外
チャンネルのチャンネル番号を入力する方法と比較して、入力誤りを生じさせることなく
、しかも短時間でチャンネルを切り替えることができる。
【００４１】
また、このテレビ１によれば、表示部１６に表示されているチャンネル番号Ｃｎ２が選
択されかつカーソルキー３４ｃ，３４ｄが操作されたときに、制御部２２が、選択された
チャンネル番号Ｃｎ２のチャンネルを選局対象チャンネルに設定変更することにより、テ
レビ映像Ｐｔが表示されている画面上でチャンネル番号Ｃｎ２を選択してカーソルキー３
４ｃ，３４ｄを操作するだけで、選択したチャンネル番号Ｃｎ２のチャンネルを選局対象
チャンネルに設定変更することができる。このため、設定画面に切り替えて設定し直す方
法と比較して、短時間でしかも容易に設定変更を行うことができる。
【００４２】
さらに、このテレビ１によれば、表示部１６に表示されている設定変更後の選局対象チ
ャンネルのチャンネル番号Ｃｎ２が選択されかつカーソルキー３４ｃ，３４ｄが操作され
たときに、制御部２２が、選択されたチャンネル番号Ｃｎ２のチャンネルを選局除外チャ
ンネルに再度設定することにより、テレビ映像Ｐｔが表示されている画面上でチャンネル
番号Ｃｎ２を選択してカーソルキー３４ｃ，３４ｄを操作するだけで、選局対象チャンネ
ルに設定変更したチャンネルを選局除外チャンネルに再度設定することができる。したが
って、例えば、選局除外チャンネルを誤って選局対象チャンネルに設定変更してしまった
としても、元の設定に容易に戻すことができる。
【００４３】
なお、本発明は、上記の構成や方法に限定されない。例えば、カーソルＣｕを移動させ
てチャンネル番号Ｃｎ２を選択したときにそのチャンネルを選局処理部１１に選局させる
構成例、つまり選局対象チャンネルに設定変更したか否かに拘わらずカーソルＣｕを移動
させただけでチャンネル切り替えを行う構成例について上記したが、他の方法でチャンネ
ル切り替えを行う構成を採用することもできる。具体的には、画面上で選局除外チャンネ
ルから選局対象チャンネルに設定変更した後に、設定変更した選局対象チャンネルにカー
ソルＣｕを移動させて選択し、その状態で例えばエンターキー３６を操作（本発明におけ
る選局操作）したときにその選局対象チャンネルにチャンネル切り替えを行う構成を採用
することができる。この構成によれば、例えば、画面上に表示された複数の選局除外チャ
ンネルを選局対象チャンネルに設定変更する際に、カーソルＣｕを移動させただけではチ
ャンネルが切り替えられないため、スキップ選局によって選局されたチャンネル（上記の
例では２２４チャンネル）のテレビ映像Ｐｔを見ながら各選局除外チャンネルを選局対象
チャンネルに設定変更することができる。また、この構成によれば、選局対象チャンネル
に設定変更したチャンネルだけを選局（チャンネル切り替え）の対象とすることができる
ため、上記の操作によって選局させたチャンネルを、次回のアップダウン選局時において
も飛び越させずに確実に選局させることができる。
【００４４】
また、アイコンＩｃの表示および非表示によって選局除外チャンネルと選局対象チャン
ネルとを識別させる構成例について上記したが、アイコンＩｃの表示に代えて、またはア
イコンＩｃの表示と共に、チャンネル番号Ｃｎ２の色や太さを選局除外チャンネルと選局
対象チャンネルとの間で互いに異ならせることで、両者を識別させる構成を採用すること
もできる。
【００４５】
また、光学エンジンおよびスクリーンパネルを有する表示部１６を備えたプロジェクシ
ョンテレビ１に本発明を適用した例について上記したが、ＣＲＴ、液晶表示パネルおよび
プラズマディスプレイ等で構成された表示部を備えたテレビに本発明を適用することもで
きる。また、映像出力部１５、表示部１６、音声出力部１７およびスピーカ１８を備えて
いないＢＳチューナ、ＣＳチューナ、アナログ放送用のチューナ、および有線放送用のチ
ューナ等の各種の選局装置、並びにこれらの選局装置を備えたＶＴＲ、ＤＶＤレコーダお
よびハードディスクレコーダ等のＡＶ機器等に本発明を適用することもできる。
【図面の簡単な説明】
【００４６】
【図１】プロジェクションテレビ１の構成を示すブロック図である。
【図２】プロジェクションテレビ１の正面図である。
【図３】アップダウン選局処理５０のフローチャートである。
【図４】スキップ設定・解除処理７０のフローチャートである。
【図５】選局データＤｓのデータ構成を示す構成図である。
【図６】映像Ｐ２の表示画面図である。
【図７】映像Ｐ３の表示画面図である。
【図８】映像Ｐ４の表示画面図である。
【図９】映像Ｐ５の表示画面図である。
【図１０】映像Ｐ６の表示画面図である。
【符号の説明】
【００４７】
１  プロジェクションテレビ、３  リモコン、１１  選局処理部、１２  チューナ、１
３  記憶部、１６  表示部、２２  制御部、３３ａ  チャンネルアップキー、３３ｂ  チ
ャンネルダウンキー、３４ａ〜３４ｄ  カーソルキー、３５  スキップ設定キー、３６  
エンターキー、Ｃｎ２  チャンネル番号、Ｃｕ  カーソル、Ｓｂ  放送信号
【図１】
2007281568.tif 000003
【図２】
2007281568.tif 000004
【図３】
2007281568.tif 000005
【図４】
2007281568.tif 000006
【図５】
2007281568.tif 000007
【図６】
2007281568.tif 000008
【図７】
2007281568.tif 000009
【図８】
2007281568.tif 000010
【図９】
2007281568.tif 000011
【図１０】
2007281568.tif 000012